(57)【要約】  【課題】冷蔵室温度センサーで冷蔵室と冷凍室を冷却制御する冷蔵庫において、庫内温度の適正化、操作性の向上と容積効率が高く、消費電力量の低減した安価な冷蔵庫を提供する。  【解決手段】外気温度センサー１７によって外気温に応じて、冷蔵室温度センサー１の動作設定温度テーブルを所持し、またテーブルは複数個有する事で外気温度毎に適切な動作温度を設定・制御することで、極低外気（０℃近傍）時でも、動作温度テーブルの一つに、マイナス温度帯を所有する事で、圧縮機３及び送風機４の運転制御を補正し、シャッター、庫内温度補償ヒータ、冷凍室用の温度センサー、冷蔵室用ダンパサーモスタット、等高価な部品を搭載しなくても、冷蔵室２や冷凍室１０の温度を適正化することができ、また操作性の向上と容積効率を高め、消費電力量を低減することができる。【選択図】図１
2007278659.tif 000002
【特許請求の範囲】
【請求項１】
冷蔵室と冷凍室からなる複数の室を有し、圧縮機と蒸発器と送風機とで前記冷蔵室と冷凍室を冷却する冷蔵庫において、前記冷蔵室内の冷蔵室温度センサーで前記圧縮機の運転制御をするとともに、冷蔵庫の周囲温度を検知する外気温度センサーにより前記圧縮機の運転制御の動作温度を補正する際、冷蔵室温度センサーの動作温度設定テーブルにより制御することを特徴とする冷蔵庫。
【請求項２】
前記動作温度設定テーブルを複数持ち、庫内温度補償ヒーターを有さず、外気温度センサーが外気温度を０℃検知した場合でも、前記圧縮機の運転制御を可能としたことを特徴とする請求項１に記載の冷蔵庫。
【発明の詳細な説明】
【技術分野】
【０００１】
本発明は冷蔵室の庫内温度で圧縮機の運転を制御する冷蔵庫に関するものである。
【背景技術】
【０００２】
近年、冷蔵庫を使用する環境・用途は多様化しており、また求められる品質も厳しいものとなってきている。その一方で安価な冷蔵庫が求められており、冷凍室用の温度センサーあるいは冷蔵室の温度調節にダンパーサーモスタットを用いず、冷蔵室用温度センサーで冷蔵室と冷凍室の温調制御する圧縮機の運転を制御するものがある（例えば、特許文献１参照）。
【０００３】
以下、図面を参照しながら、上記従来の冷蔵庫について説明する。
【０００４】
図４は、特許文献１に記載された従来の冷蔵庫の扉を除去した状態の正面図であり、図５は同冷蔵庫の概略縦断面図である。
【０００５】
図４から図５において、１は冷蔵室温度センサーであり、冷蔵室２の温度変化を検知し、圧縮機３及び送風機４の運転制御をおこなう。５は冷蔵室２への冷気を供給するための冷蔵室吐出ダクト、６は冷蔵室吐出口で、７は冷蔵室２を循環した冷気を蒸発器８へ戻すための冷蔵室戻りダクトで、その入口部に開口面積を増減させるためのシャッター９が設けられている。
【０００６】
上記構成において、冷蔵室温度センサー１の温度が設定温度よりも高くなれば圧縮機３及び送風機４の運転が開始され、蒸発器８で冷却された冷気が冷蔵室吐出ダクト５を通り冷蔵室吐出口６から冷蔵室２へ送られ、冷蔵室２内を循環したあと冷蔵室戻りダクト７から蒸発器８へ戻る。そして、冷蔵室温度センサー１が設定温度以下になれば圧縮機３及び送風機４の運転が停止される。一方、冷凍室１０は圧縮機３及び送風機４の運転中、冷凍室吐出口１１から冷気が送られ、冷凍室１０内を冷却したあと、冷凍室吸込口１２から蒸発器８へと冷気が循環することで所望温度を保つようにしている。すなわち、冷凍室１０の温度変化は圧縮機３及び送風機４の運転時間の長さによって変化するように設定してある。そこで、冷凍室１０の温度をより低くしたいときは、冷蔵室戻りダクト７の入口部の開口面積が小さくなるようにシャッター９を移動させ、冷蔵室２内の冷気循環量を少なくする。その結果、圧縮機３及び送風機４の運転時間が長くなり、冷凍室１０への冷気供給量が増加することで、冷凍室１０の温度がより低くなる。以上のように、冷蔵室温度センサー１で圧縮機３及び送風機４の運転制御を行うとともに、冷蔵室戻りダクト７の入口部の開口面積をシャッター９で増減させることで冷凍室１０の温度切替をおこなっている。
【特許文献１】特開平１０−１７０１２７号公報
【発明の開示】
【発明が解決しようとする課題】
【０００７】
しかしながら、上記従来の冷蔵庫では、冷凍室の温度を適正化するために冷蔵室戻りダクトの入口部に開口面積を増減させるためのシャッターを備えなければならず、部品点数が多く組立ても複雑化していた為コストが高く、また庫内容積も小さくなり、外気温度・庫内負荷条件により使用者がシャッターの位置を操作する必要があり使い勝手が悪く、また、極低外気温度時の庫内温調性能の制御・確保が難しいと言う課題を有していた。
【０００８】
本発明は上記従来の課題を解決するものであり、庫内温度調整装置をなくし使い勝手を向上させ、容積効率も高め、庫内音頭補償ヒータ廃止にも関わらず極低外気時でも庫内温調性能を確保し、消費電力量も低減した安価な冷蔵庫を提供することを目的とする。
【課題を解決するための手段】
【０００９】
上記従来の課題を解決するために、本発明の冷蔵庫は、冷蔵室と冷凍室からなる複数の室を有し、圧縮機と蒸発器と送風機とで前記冷蔵室と冷凍室を冷却する冷蔵庫において、前記冷蔵室内の冷蔵室温度センサーで前記圧縮機の運転制御をするとともに、冷蔵庫の周囲温度を検知する外気温度センサーにより前記圧縮機の運転制御の動作温度を補正する際、冷蔵室温度センサーの動作温度設定テーブルにより制御するものである。
【００１０】
これにより、周囲温度が低くなった場合でも、冷蔵室温度センサーによる圧縮機・送風機の各冷却システム部品の適正な動作を可能にできる。
【発明の効果】
【００１１】
本発明の冷蔵庫は、冷蔵室内の冷蔵室温度センサーで圧縮機の運転制御をするもので、冷蔵庫の周囲温度を検知する外気温度センサーにより前記圧縮機の運転制御の動作温度を補正する際、冷蔵室温度センサーの動作温度設定テーブルにより制御することで、圧縮機・送風機の各冷却システム部品の適正な動作を可能にし、操作性・容積効率の向上と、また、庫内温度補償ヒータ廃止による消費電力量の低減を実現しながら、周囲温度が低くなった場合でも、冷蔵室、冷凍室それぞれの庫内温度を適性化することができる。
【発明を実施するための最良の形態】
【００１２】
請求項１に記載の発明は、冷蔵室と冷凍室からなる複数の室を有し、圧縮機と蒸発器と送風機とで前記冷蔵室と前記冷凍室を冷却する冷蔵庫において、前記冷蔵室内の冷蔵室温度センサーで前記圧縮機の運転制御をするとともに、冷蔵庫の周囲温度を検知する外気温度センサーにより前記圧縮機の運転制御の動作温度を補正する際、冷蔵室温度センサーの動作温度設定テーブルにより制御することにより、特別な制御部品を使わずに、各室の庫内温度制御に際し、冷蔵室温度センサーの動作温度をテーブル設定による制御をする事で適切な温調性能の確保をすることができる。
【００１３】
請求項２に記載の発明は、請求項１に記載の発明において、前記動作温度設定テーブルを複数持ち、庫内温度補償ヒーターを有さず、外気温度センサーが外気温度を０℃検知した場合でも、前記圧縮機の運転制御を可能としたものであり、特別な温調制御部品を使わずに、外気温度センサーの検知温度にともない、冷蔵室温度センサーの動作温度テーブルを複数個所持することで、各外気温度毎に動作温度を設定・制御する中で、特に極低外気時は、冷蔵室温度センサーの複数の動作温度テーブルの中の１つで、動作温度がマイナス温度帯のテーブルから動作温度を設定・制御をすることで、外気温度が低いときでも、圧縮機及び送風機の動作・制御させることで、外気温度の低下時でも適切な圧縮機の運転率を確保することができ、さらに冷蔵庫内の温調性能を適正化することができる。
【００１４】
以下、本発明の実施の形態について、図面を参照しながら説明する。なお、この実施の形態によってこの発明が限定されるものではない。また、従来と同一構成については同一符号を付して詳細な説明は省略する。
【００１５】
（実施の形態１）
図１は本発明の実施の形態１における冷蔵庫の縦断面図、図２は同実施の形態における冷蔵庫の背面図、図３は同実施の形態における冷蔵庫の冷蔵室温度センサーの動作温度運転制御チャートである。
【００１６】
図１から図２において、１３は冷蔵庫本体を示すものであり、上段の冷蔵室２と下段の冷凍室１０とより成っている。冷凍室１０の背面部には蒸発器８を設置し、その上方には送風機４を配置、冷凍室１０の冷凍室吐出口１１と冷蔵室２の冷蔵室吐出ダクト５に分流するよう構成してある。
【００１７】
また、蒸発器８の下辺高さ１４よりも下方に冷凍室１０の冷凍室吸込口１２が配置してある。
【００１８】
また、冷蔵室２の背面部には冷蔵室温度センサー１が設置してあり圧縮機３と送風機４を動作制御している。
【００１９】
また、冷蔵庫本体１３の背面部の機械室１５内には、圧縮機３や送風機４の運転制御をする制御基板１６を設置しており、制御基板１６には外気温度を検知するための外気温度センサー１７を直接固定している。
【００２０】
また、図３に示すように、外気温度センサー１７の検知温度により、冷蔵室温度センサー１の動作温度（ＯＮ／ＯＦＦ温度）を補正するときに、複数の所定外気温度範囲において直線的に冷蔵室温度センサー１の動作温度（ＯＮ／ＯＦＦ温度）を補正する。すなわち複数の動作温度テーブルを備えている。そして、外気温度の範囲によって冷蔵室温度センサー１の動作温度（ＯＮ／ＯＦＦ温度）を補正する直線の傾きを、温度が低くなるほど、大きく設定している。
【００２１】
以上のように構成された冷蔵庫について、以下その動作、作用を説明する。
【００２２】
冷蔵室温度センサー１の温度が設定温度よりも高くなれば圧縮機３及び送風機４の運転が開始され、蒸発器８で冷却された冷気が冷蔵室吐出ダクト５を通り冷蔵室２へ送られ、冷蔵室２内を循環したあと蒸発器８へ戻る。そして、冷蔵室温度センサー１が設定温度以下になれば圧縮機３及び送風機４の運転が停止される。
【００２３】
一方、冷凍室１０は圧縮機３及び送風機４の運転中、冷凍室吐出口１１から冷気が送られ、冷凍室１０内を冷却したあと、冷凍室吸込口１２から蒸発器８へと冷気が循環することで所望温度を保つようにしている。
【００２４】
そして、制御基板１６上に積載した外気温度センサー１７によって検知した外気温に応じて、冷蔵室温度センサー１の動作温度にはテーブルを設け、またこのテーブルは複数個所持する事で外気温度毎に適切な動作温度を設定・制御し、冷蔵室温度センサー１の動作温度の温度差を可変させることを実現させ、低外気になるにつれて冷蔵室温度センサー１による圧縮機３の動作温度を引き下げ、また動作温度差を小さくしたテーブル設定で、圧縮機３及び送風機４の運転時間を適切に制御して、冷蔵室２及び冷凍室１０への適正な冷気供給量が確保できる。
【００２５】
以上のように本実施の形態においては、冷蔵室２と冷凍室１０を有し、圧縮機３と蒸発器８と送風機４とで冷蔵室２と冷凍室１０を冷却する冷蔵庫において、冷蔵室内の冷蔵室温度センサー１で圧縮機３の運転制御をするとともに、冷蔵庫の周囲温度を検知する外気温度センサー１７により圧縮機３の運転制御の動作温度を補正するものであり、特別な制御部品・庫内負荷ヒータを用いず、外気温度が低いときでも、圧縮機及び送風機の運転時間を補正制御をすることで、冷蔵室と冷凍室の温度を適正化することができ、操作性の向上と容積効率を高め、消費電力量低減することができる。
【００２６】
冷蔵室２の庫内温度が低下すると冷蔵室温度センサー１が動作して圧縮機３と送風機４を停止させる。特に低外気温時（０℃近傍）には冷蔵室２の温度を食品凍結しない温度に維持しながら、冷凍室１０の温度を冷凍食品が保管できる温度まで低下させることが可能となる。
【産業上の利用可能性】
【００２７】
以上のように、本発明にかかる冷蔵庫は、冷蔵室内の冷蔵室温度センサーで圧縮機の運転制御をする冷凍冷蔵庫において、高価な制御部品を搭載しなくても０℃以上の外気温度帯で室を過冷させることなく冷凍室温度を低減できるもので冷凍冷蔵機器全般の用途にも適用できる。
【図面の簡単な説明】
【００２８】
【図１】本発明による冷蔵庫の実施の形態１における冷蔵庫の縦断面図
【図２】同実施の形態における冷蔵庫の背面図
【図３】同実施の形態における冷蔵室温度センサー動作温度テーブルのチャート
【図４】従来の冷蔵庫の扉を除去した状態の正面図
【図５】従来の冷蔵庫の概略縦断面図
【符号の説明】
【００２９】
１    冷蔵室温度センサー
２    冷蔵室
３    圧縮機
４    送風機
８    蒸発器
１０  冷凍室
１３  冷蔵庫本体
１６  制御基板
１７  外気温度センサー
【図１】
2007278659.tif 000003
【図２】
2007278659.tif 000004
【図３】
2007278659.tif 000005
【図４】
2007278659.tif 000006
【図５】
2007278659.tif 000007